(57)【要約】【課題】フィルタ掃除ユニット付の空気調和機における折り曲げ型熱交換器の天面シール構造を提供する。【解決手段】上方側に空気吸込口１および下方側に空気吹出口２を有する本体ケーシング３と、両端側を下方に折り曲げた状態で本体ケーシング３内に配設された熱交換器４と、該熱交換器４の一次側空気吸込面に対応して設けられたフィルタ５と、該フィルタ５を上記熱交換器４の空気吸込面に沿って移動可能に支持するフィルタ支持部材７と、上記フィルタ５のフィルタ面の掃除を行うフィルタ掃除ユニット６と、上記熱交換器４の二次側に配設されたファン７０とを備えてなるフィルタ掃除ユニット付空気調和機において、上記フィルタ支持部材７に上記熱交換器４の折り曲げ部の谷間部４ｃの形状に対応した形状のシールプレート２０を設けてシールした。【選択図】        図７
2008089232.tif 000002
【特許請求の範囲】
【請求項１】
上方側に空気吸込口（１）および下方側に空気吹出口（２）を有する本体ケーシング（３）と、両端側を下方に折り曲げた状態で本体ケーシング（３）内に配設された熱交換器（４）と、該熱交換器（４）の一次側空気吸込面に対応して設けられたフィルタ（５）と、該フィルタ（５）を上記熱交換器（４）の空気吸込面に沿って移動可能に支持するフィルタ支持部材（７）と、上記フィルタ（５）のフィルタ面の掃除を行うフィルタ掃除ユニット６と、上記熱交換器（４）の二次側に配設されたファン（７０）とを備えてなるフィルタ掃除ユニット付空気調和機において、上記フィルタ支持部材（７）に上記熱交換器（４）の折り曲げ部の谷間部（４ｃ）の形状に対応した形状のシールプレート（２０）を設けたことを特徴とするフィルタ掃除ユニット付空気調和機。
【請求項２】
シールプレート（２０）は、フィルタ支持部材（７）と一体に成形されていることを特徴とする請求項１記載のフィルタ掃除ユニット付空気調和機。
【請求項３】
シールプレート（２０）は、熱交換器（４）の折り曲げ部の谷間部（４ｃ）に対して圧接するように押圧弾性を有して設けられていることを特徴とする請求項１又は２記載のフィルタ掃除ユニット付空気調和機。
【発明の詳細な説明】
【技術分野】
【０００１】
この出願の発明は、フィルタ掃除ユニット付空気調和機の構造に関するものである。
【背景技術】
【０００２】
一般にプレフィルタと呼ばれている空気調和機用室内機のフィルタは、ゴミやホコリ等が詰まりやすく、本来頻繁な手入れが必要である。しかし、フィルタを室内機本体から外して取り出し、メッシュ部のゴミを掃除機で吸引するなど、フィルタの掃除は結構めんどうであり、実際には中々行われないのが実情である。
【０００３】
そのために、運転時間等を積算してフィルタ掃除時期の到来を判定し、掃除が必要な時期になると、ユーザーに対してフィルタの掃除を促すメンテナンス指示（例えばＬＥＤの点灯など）を出すことも行われていた。
【０００４】
しかし、そのようなメンテナンス指示を出しても、実際には中々掃除が行われないケースも多く、フィルタが詰まったままで運転を継続すると、圧損が大きく、ファンモータ負荷の増大による消費電力の増大を招く。また、空気の吸込み騒音も大きくなる。
【０００５】
そこで、最近では、当該室内機自体にフィルタの掃除ユニットを組み込み、運転の停止に対応して、又は運転休止期間中のリモコン操作等に対応して自動的にフィルタに付着したホコリ等を掻き取り、吸引ノズルおよび排気管を通して室外へ排出するか、又は掻き取ったホコリをダストボックス内に収納するようにしたフィルタ掃除ユニットの付いた空気調和機が提供されるようになっている。
【０００６】
このようなフィルタ掃除ユニットには、例えば上記フィルタのホコリを掻き取るとともに掻き取ったホコリを吸い取る掻取り吸引ノズル部がフィルタ面に沿って左右に移動するもの、またフィルタの下部にホコリ等掻き取り用のブラシを備えたダストボックスを取り付け、該ダストボックスをフィルタに沿って上下に移動させ、ブラシでホコリをダストボックス内に掻き落とすものなど種々のタイプのものが提供されている（前者のものとしては特許文献１参照、また後者のものは製品として公知）。
【０００７】
また、そのようなホコリ等掻取りノズルユニットやダストボックスがフィルタ面に沿って移動するものとは異なり、フィルタそのものを曲げ変形可能な可撓性の構造体とする一方、同フィルタを空気調和機本体の前面から上面の吸気面に沿って往復移動可能に支持し、上記フィルタの移動位置の途中に対応してホコリの掻き取りブラシを備えたダストボックスを設置することにより、ダストボックス等を移動させることなくフィルタのホコリ等を除去し収納することができるようにしたフィルタ掃除ユニットも提案されている（特許文献２参照）。
【０００８】
一方、このような空気調和機（室内機）では、装置コンパクト化などの見地から、その送風機として例えばクロスフローファンを採用するとともに、同クロスフローファンに対して熱交部の両端を下方に折り曲げた所謂ラムダ型（又は逆Ｖ字型）のクロスフィン熱交換器を組み合わせ、可能な限り広く有効な熱交換面積を確保しながら、前後方向の寸法を可及的に小さくする構成が採用されている。
【０００９】
このような構成の場合、上記クロスフィン熱交換器の上端側下方への折り曲げ部に当該熱交換器の前後何れの熱交換器面をも通らないＶ字形の空気通路部（谷間部）が形成されてしまうので、この部分を何らかの形でシールしないと、上方側空気吸込口からの空気が熱交面を通ることなく素通りしてしまい、熱交換効率が低下してしまう問題がある。
【００１０】
このため、従来一般の空気調和機などでは、同折り曲げ部分の上部又は下部の谷間部に対して断面Ｖ字形又は逆Ｖ字形のシール部材を嵌合固定することにより、同通路部をシールするようにしていた（例えば特許文献３参照）。
【００１１】
【特許文献１】特開２００６−１１２６９９号公報（明細書１−６頁、図１−１１）
【特許文献２】特開２００１−９９４７９号公報（明細書１−４頁、図１−２）
【特許文献３】特開平７−２１７９８７号公報（明細書１−６頁、図１−８）
【発明の開示】
【発明が解決しようとする課題】
【００１２】
ところが、上述のようなフィルタ掃除ユニット付きの空気調和機において、上記のような熱交換器折り曲げ部のシール構造を採用すると、ただでさえフィルタ掃除ユニットの付加によって部品点数が多くなっている空気調和機の部品点数（一例として５００点強）をさらに増大させることになり、組み付け工数の増加とも相俟って製品コストの上昇を招く。
【００１３】
また、上述した従来のフィルタフィルタ掃除ユニット付空気調和機の中でも、フィルタそのものを曲げ変形可能な可撓性の高い構造体とし、同フィルタを上下方向に往復動させるようにしたものの場合、当該空気調和機の空気吸込口の熱交換器前面側から上面側にかけて設けられるフィルタ支持部材（フィルタのガイドおよび展張支持用の枠体）は、上記熱交換器の前面側から上面側に対応してフィルタガイド溝を有する左右の枠板を中心とした枠体構造となる。
【００１４】
したがって、支持筺体としては剛性が不足し、例えばフィルタの巻込み巻戻し機構の設置やフィルタガイド部としてのガイド作用の安定性を欠く問題などもある。
【００１５】
この出願の発明は、このような問題を解決するためになされたもので、上記熱交換器に対応して設けられるフィルタガイド機能を有するフィルタ支持部材に対してシールプレートを設けることによって、従来のような単独構造部品としてのシール部材を不要にするとともに当該フィルタ支持部材の設置と同時にシールプレートの設置を可能にし、部品点数、設置工数を削減したフィルタ掃除ユニット付空気調和機を提供することを目的とするものである。
【課題を解決するための手段】
【００１６】
この出願の発明は、上記の目的を達成するために、次のような課題解決手段を備えて構成されている。
【００１７】
（１）  請求項１の発明
この発明は、上方側に空気吸込口１および下方側に空気吹出口２を有する本体ケーシング３と、両端側を下方に折り曲げた状態で本体ケーシング３内に配設された熱交換器４と、該熱交換器４の一次側空気吸込面に対応して設けられたフィルタ５と、該フィルタ５を上記熱交換器４の空気吸込面に沿って移動可能に支持するフィルタ支持部材７と、上記フィルタ５のフィルタ面の掃除を行うフィルタ掃除ユニット６と、上記熱交換器４の二次側に配設されたファン７０とを備えてなるフィルタ掃除ユニット付空気調和機において、上記フィルタ支持部材７に上記熱交換器４の折り曲げ部の谷間部４ｃの形状に対応した形状のシールプレート２０を設けたことを特徴としている。
【００１８】
このように、フィルタ支持部材７に熱交換器４の折り曲げ部の空気通路（谷間部）４ｃをシールするための同じ断面形状のシールプレート２０を一体化すると、同シールプレート２０がフィルタ支持部材７自体の構造部品となって、部品点数も減少し、本体ケーシング３に対するフィルタ支持部材７の設置と同時にシールプレート２０部分も設置されるので、設置も容易である。したがって組付工数も削減される。
【００１９】
しかも、同シールプレート２０は、熱交換器４の折り曲げ部４ｃの断面形状に対応した断面字形状で前後方向の幅も広く、フィルタ支持部材７を補強することになることから、フィルタ支持部材７自体の剛性も確実にアップする。
【００２０】
その結果、フィルタガイド部の形状も安定し、プレフィルタ５のガイド作用もスムーズになる。
【００２１】
また、シールプレート２０のシール部の幅は、例えば熱交換器４の折り曲げられた前後熱交部の端面部のみで良く、その他の部分は、例えば左右両枠と基端側の一体化部のみでよいから、空気吸込みのための通路面積を制約することはなく、可及的に広い面積を確保することができる。
【００２２】
（２）  請求項２の発明
この発明は、上記請求項１の発明の構成において、上記シールプレート２０は、フィルタ支持部材７と一体に成形されていることを特徴としている。
【００２３】
このような構成によると、フィルタ支持部材７の成形時に同時に熱交換器折り曲げ部の谷間部４ｃに対応するシールプレート２０を一体に設けることができるので、極めて容易に構成することができる。
【００２４】
（３）  請求項３の発明
この発明は、上記請求項１又は２の発明の構成において、上記シールプレート２０は、熱交換器４の折り曲げ部の谷間部４ｃに対して圧接するように押圧弾性を有して設けられていることを特徴としている。
【００２５】
このような構成によると、熱交換器４の折り曲げ部の谷間部４ｃのシール性が一段と向上する。
【発明の効果】
【００２６】
以上の結果、この出願の発明によると、容易かつ低コストに、フィルタ掃除ユニット付空気調和機用熱交換器折り曲げ部のシール構造を実現することができる。
【発明を実施するための最良の形態】
【００２７】
図１〜図８は、この出願の発明の最良の実施の形態に係るフィルタ掃除ユニット付空気調和機Ａの全体および要部の構成を示している。
【００２８】
（１）  同空気調和機Ａの全体的な構成および作用
この空気調和機Ａは、上面側に空気吸込口１を、下面側前部に空気吹出口２を備えた本体ケーシング３と、該本体ケーシング３内に配設されたクロスフィン型の熱交換器（蒸発器又は凝縮器）４と、該熱交換器４の一次側空気吸込面に対応して設けられたメッシュ構造のプレフィルタ５と、該プレフィルタ５を上下方向および上下方向から前後水平方向に移動可能に支持するフィルタ支持部材７と、上記プレフィルタ５のフィルタ面（メッシュ面）の掃除を行うフィルタ掃除ユニット６と、上記熱交換器４の二次側に配設されたクロスフロー型の多翼ファン７０とを備えて構成されている。
【００２９】
上記本体ケーシング３は、上記熱交換器４、プレフィルタ５、フィルタ支持部材７、多翼ファン７０等を取付け又は支持している筺体部３ａと、上記空気吸込口２をカバーしている空気吸込グリル３ｂと、上記熱交換器４の前面側空気吸込空間１ａを開閉可能な状態でカバーしている前面カバー３ｃ等とからなっている。
【００３０】
また上記熱交換器４は、いわゆるラムダ型の熱交換器として構成され、上下方向にくの字状に延びた前面側熱交部４ａと、該前面側熱交部４ａの上端部から後方側下方に斜めに折曲され、上記本体ケーシング３の背面側上方に位置する背面側熱交部４ｂとからなっており、上記本体ケーシング３の上面側空気吸込口１部分から前面側空気吸込空間１ａ部分にかけて形成された広面積の空気吸込通路を介して十分な量の空気流が効率良く通過するようになっている。
【００３１】
一方、符号８ａは、上記前面側熱交部４ａからのドレンを受け止める第１のドレンパン、８ｂは上記背面熱交換部４ｂからのドレンを受け止める第２のドレンパン、９は上記多翼ファン７０の羽根車部７０ａから吹き出される空気流を空気吹出口２方向に案内するスクロール構造の空気吹出通路、１０は上記多翼ファン７０の羽根車部７０ａから吹き出される空気流の逆流を防止するための舌部、１１は上記空気吹出口２の上流部分に配設された垂直羽根および水平羽根等よりなる風向調節機構である。
【００３２】
上記前面カバー３ｃは、所定の可動ガイド機構を介して上記本体ケーシング３の両側に支持されており、例えば図１中に示すように、上記前面側熱交部４ａの前面に接近して該前面側熱交部４ａの前面部を目隠しする閉状態と、この閉状態から下方へ移動しつつその上端側を前方へ押し出した前傾状態の開状態との２つの状態間で開閉可能とされており、上記開状態において上記前面側熱交部４ａの前面を開口するように構成されている。
【００３３】
そして、上記前面カバー３ｃの上述した開状態において、上記本体ケーシング３の上面側空気吸込口１および前面側空気吸込空間１ａから吸い込まれた空気流は、上記熱交換器４（熱交部４ａ，４ｂ）を通過する際に冷却あるいは加熱されて所望の温湿度の調和空気となり、上記多翼ファン７０の羽根車部７０ａ部分をその回転軸７０ｂに対して直交するように貫流した後、上記スクロール構造の空気吹出通路９を通して上記空気吹出口２から室内へ吹き出される。
【００３４】
この多翼ファン７０の羽根車部７０ａは、その回転軸７０ｂ方向に所定の間隔で平行に配設された複数枚の円形支持プレートの外周縁部に、同回転軸７０ｂと平行となるように多数枚の羽根を所定の翼角で配設して構成されている。
【００３５】
（２）  プレフィルタ５の構成
上記プレフィルタ５は、例えば図３に示すにように、円弧状に自由に曲げることができる可撓性の良好な合成樹脂製の偏平な格子状の枠体５１の各偏平な枠部材５１ａ，５１ａ・・・間の方形の窓部に所定の網目径のメッシュ部材５２，５２・・・を張設したものとなっており、上記偏平な枠体５１の内の左右両側の外枠５１Ａ，５１Ａ部分は、それらの間の格子状の枠部材５１ａ，５１ａ・・・部分よりも幅が広く形成され、その裏面側には長手方向に一定の間隔で直交方向に突出する所定の長さの凸状体（係合ピン）５３，５３・・・が設けられている。
【００３６】
（３）  プレフィルタ５を移動可能に支持するフィルタ支持部材７の構成
一方、上記本体ケーシング３側には、例えば図８に詳細に示すようなプレフィルタ支持用のフィルタ支持部材７が設けられている。このフィルタ支持部材７は、上記プレフィルタ５の左右両側に位置し、上記ラムダ型の熱交換器４の上方面側背板位置から前面側下端位置までの全体の形状に沿う形状に成形された比較的剛性の高い断面鉤形の合成樹脂製の枠板７１，７１と、該枠板７１，７１の上下方向に延びる側壁７１ａ，７１ａの下部側部分の内側に設けられたフィルタ巻込み巻戻し機構７２，７２と、該フィルタ巻込み巻戻し機構７２，７２およびフィルタ支持部材７の前面部分に対応して設けられた枠体構造のフィルタ押え７３と、上記枠板７１，７１間の上下方向に延びる前面側部分から前後方向（水平方向）に延びる上面側部分へ変位するコーナ面部分の上下両空間面位置に設けられたフィルタガイド部材７４ａ，７４ａ、７５ａ，７５ａとからなっている。上記フィルタガイド部材７４ａ，７４ａ、７５ａ，７５ａは、それぞれ上記左右の枠板７１，７１の側壁部７１ａ，７１ａ間に架設された各々２本の平行な支持部材７４，７４、７５，７５の間にプレート面を直交させた状態で相互に平行に支持されており、それぞれその上下両端にアール面を有するプレート部の端面をフィルタ移動方向に延びるガイド面として上述のプレフィルタ５の中間部を撓まわせることなく支持して上下および前後方向にスムーズにガイドするようになっている。
【００３７】
これら各フィルタガイド部材７４ａ，７４ａ、７５ａ，７５ａは、図８から明らかなように、ちょうど上記プレフィルタ５の上下方向に延びる中間の枠部材５１ａ，５１ａに対応して支持ガイドするようになっている。
【００３８】
上記フィルタ押え７３は、上記熱交換器４の前面側熱交部４ａに対応するフィルタ支持部材７の前面部分に対応して開閉可能となっており、その枠板部の上端側枠板７３ｂ部分を上記フィルタ支持部材７の左右両側の枠板７１，７１の前面部上端にラッチ機構７６，７６を介して軸支することにより、その下端側が上下方向に回動可能となっている。そして、その左右両側の枠板７３ａ，７３ａ部分は、上記フィルタ支持部材７の左右両側の枠板７１，７１の上記プレフィルタ５のガイド溝を形成している前後枠壁部の内の前面側枠壁部（７１ａ）を兼ねており、以下に述べるフィルタ掃除ユニット６の中心的な作動機構を構成している上記フィルタ巻込み巻戻し機構７２，７２の歯付ベルト７２ｃとの間で上下方向に延びる第１のフィルタガイド溝（フィルタ移動空間）１２ａを形成している。
【００３９】
また、上記左右両側の枠板７３ａ，７３ａ間には、上述のフィルタ支持部材７側のフィルタガイド部材７５ａ，７５ａに対応してプレフィルタ５の上下方向の枠部材５１ａ，５１ａを摺動可能に押さえる押え部材７３ｃ，７３ｃが設けられている。
【００４０】
（４）  フィルタ掃除ユニット６の構成
他方、フィルタ掃除ユニット６は、上記熱交換器４の前面部（前面側熱交部４ａの前面部分）の両側にあって、上記プレフィルタ５を例えば図６に示すような環状に巻き込み、また例えば図５に示すような元の展張状態に巻き戻す上記フィルタ巻込み巻戻し機構７２，７２と、同フィルタ巻込み巻戻し機構７２，７２のプレフィルタ巻き込み部に対応して設けられ、上記プレフィルタ５のメッシュ部材５２，５２・・・部分に付着しているゴミやホコリ等を掻き落すローター構造のゴミ等掻取りブラシ１６と、該ゴミ等掻取りブラシ１６により掻き落されたゴミ等を収納するダストボックス１７とからなっている。
【００４１】
フィルタ巻込み巻戻し機構７２，７２は、下方側大径の第１の歯付プーリ７２ａと、上方側小径の第２の歯付プーリ７２ｂと、これら第１，第２の歯付プーリ７２ａ，７２ｂとの間に噛合状態で掛け渡された歯付ベルト７２ｃとからなっており、歯付ベルト７２ｃには、例えば図３に示すように、上記プレフィルタ５裏面側の上述した凸状体（係合ピン）５３，５３・・・が挿入係合される係合穴１３，１３・・・が長手方向に対応する一定の間隔で設けられている。
【００４２】
この歯付ベルト７２ｃは、例えば図８のパルスモータＭ１（Ｍ２）による上記第１の歯付プーリ７２ａの駆動により、正逆両方向に正確に回転駆動（ステッピング駆動）され、例えば正転（右回転）方向に駆動された時に上記プレフィルタ５を上記第１，第２のガイド溝１２ａ，１２ｂを介してプレフィルタ５の展張に必要な上記最終設定位置（上端側）まで適正に装着する一方、逆転（左回転）方向に駆動された時に、上記ガイド溝１２ａの下端側に位置し、かつ上記第１の歯付プーリ７２ａのプーリ面に沿って、上記歯付ベルト７２ｃとの間に上記プレフィルタ５の外枠５１Ａ，５１Ａを通すのに必要なクリアランスを保った状態で所定の回転角幅に設けられている第１のガイドプレート１４ａ、第２のガイドプレート１４ｂ、また、同プーリ面から上記第２の歯付プーリ７２ｂのプーリ方向に歯付ベルト７２ｃに沿って背面側上下方向に長く設けられている第３のガイドプレート１４ｃ、上端側第２の歯付プーリ７２ｂ上にあって自重により同部分の巻き込まれたプレフィルタ曲面部を押さえる第４のガイドプレート１５ａ（回転支軸１５ｃ）等のガイド作用を利用して上記プレフィルタ５の略全体を図５の状態から図６の状態のように歯付ベルト７２ｃの外周面上に巻き込む。なお、上記第１，第２の歯付プーリ７２ａ，７２ｂのプーリ面上には、上記プレフィルタ５側の凸状体５３，５３・・・、５３，５３・・・の先端を逃がす環状溝が設けられている。
【００４３】
そして、該プレフィルタ５の巻き込み時に上記第１の歯付プーリ７２ａの下方（上記第１のガイドプレート１４ａとそれよりも所定回転角後方の第２のガイドプレート１４ｂとの間）に設けられているゴミ等掻き落としブラシ１６により同プレフィルタ５のメッシュ部材５２，５２・・・部分に付着しているゴミやホコリ等を十分に掻き落す（図６の状態）。このゴミ等掻き落としブラシ１６は、上述のダストボックス１７内に位置するように設けられており、掻き落されたゴミ、ホコリ等は、確実に当該ダストボックス１７内に収納される。そして、ダストボックス１７は、本体ケーシング３に対して着脱自在に取り付けられており、定期的に取り外して中のゴミやホコリを捨てることができる。
【００４４】
したがって、上記フィルタ押え７７の下端側のフィルタ支持部材７に対する係合を解き、同下端側を、例えば図４に示すように、所定角度手前前側に回動させると、上記プレフィルタ５の下端５ｂ側の歯付ベルト７２ｃに対する押え状態が解除され、プレフィルタ５裏面側の凸状体５３，５３・・・を歯付ベルト７２ｃの係合穴１３，１３・・・から抜くことにより（図４では凸状体５３，５３・・・を省略している）、上記プレフィルタ５のフィルタ支持部材７からの取り外し（矢印ａ方向参照）が可能となる。
【００４５】
この場合、上記フィルタ押え７３は、ラッチ機構７６，７６を介して上記フィルタ支持部材７に軸支されていることから、図４のような所望の角度での開放状態の維持が可能であり、上記プレフィルタ５の取り外しはもちろん、それとは逆の挿入装着作業も容易である。
【００４６】
プレフィルタ５の上記フィルタ支持部材７内への装着は、例えば図４中の矢印ｂに示すようにプレフィルタ５の上端５ａ側を上記下方側第１のガイド溝１２ａから上端側第２のガイド溝１２ｂ方向に挿入（この時、上述の第４のガイドプレート１５ａの終端側上部には、さらに円弧面状のフィルタガイド１５ｂが形成されていて、同挿入時のプレフィルタ５を上方側にガイドする）した後、その中間部側から下端５ｂ側裏面（外枠５１Ａ，５１Ａ裏面）の凸状体５３，５３・・・部分を、例えば同図３中に仮想線で示すように、上記第１，第２の歯付プーリ７２ａ，７２ｂ（左右一対）間に架け渡されている歯付ベルト７２ｃ（７２ｃ，７２ｃ）前面側部分の各係合穴１３，１３・・内に挿入係合させ、同係合状態で上記フィルタ押え７３を元の状態に閉じる。
【００４７】
そして、その後、再び上述の前面カバー３ｃを本体ケーシング３の前面側可動ガイド機構部分に係合させ、所望のフィルタ作動スイッチを入れると、上記プレフィルタ５の下端５ｂ側が一旦所定寸法逆転して上記第１の歯付プーリ７２ａ側第１，第２のガイドプレート１４ａ，１４ｂとの間に巻き込まれた後、その後正転して上端５ａ側が上方に適正な寸法量繰り出され、最終的に適正な設定位置で停止する。
【００４８】
そして、その結果、プレフィルタ５は、図５のに示すような元の展張状態に装着される。
【００４９】
なお、上述の第１，第２の歯付プーリ７２ａｂ，７２ｂ、歯付ベルト７２ｃよりなるフィルタ巻込み巻戻し機構７２，７２は左右一対の各プレフィルタ５，５およびフィルタ支持部材７，７ごとに左右一対づつ設けられている。そして、符号７７，７７は、それら左右一対の第１の歯付プーリ７２ａ，７２ａ、７２ａ，７２ａ間に介装された同径の弾性ロールである。
【００５０】
（５）  ラムダ型熱交換器４の天面シール部の構成
上述のように、本実施の形態の空気調和機Ａでは、装置コンパクト化などの見地から、その送風機として例えばクロスフロー型の多翼ファン７０を採用するとともに、同クロスフロー型の多翼ファン７０に対して熱交部の両端を下方に折り曲げたラムダ型（又は逆Ｖ字型）のクロスフィン型の熱交換器４を組み合わせ、可能な限り広く有効な熱交換面積を確保しながら、前後方向の寸法を可及的に小さくする構成が採用されている。
【００５１】
このような構成の場合、上記ラムダ型熱交換器４の上端側下方への折り曲げ部に、当該熱交換器４の前後何れの熱交部４ａ，４ｂをも通らないＶ字形の空気通路部（谷間部）４ｃが形成されてしまうので、この部分を何らかの形でシールしないと、上方側空気吸込口１からの空気が熱交面を通ることなく素通りしてしまい、熱交換効率、熱交換性能が低下してしまう問題がある。
【００５２】
このため、従来一般の空気調和機などでは、同Ｖ字形の空気通路部（谷間部）４ｃの上部又は下部に断面Ｖ字形又は逆Ｖ字形の専用のシール部材を嵌合固定することにより、シールするようにしていた。
【００５３】
しかし、上述のようなフィルタ掃除ユニット付きの空気調和機において、そのようなシール構造を採用すると、ただでさえ複雑な構造のフィルタ掃除ユニット６の付加によって部品点数が多くなっている空気調和機の部品点数（一例として５００点強）をさらに増大させることになり、組み付け工数の増加とも相俟って相当な製品コストの上昇を招く問題がある。
【００５４】
また、以上の構成では、従来のフィルタ掃除ユニットのようにノズルユニットおよびダストボックスがフィルタ面に沿って移動するものとは異なり、プレフィルタ５そのものを曲げ変形可能な構造として、同プレフィルタ５をコンベア状に熱交換器４の前面側から上面側にいたる吸気面の全体に沿って往復移動自在に支持するとともに、その下端側から略全体を巻き込み、巻き戻すフィルタ巻込み巻戻し機構７２，７２を設け、さらに同巻込み巻戻し機構７２，７２の巻き込み位置に対応してゴミ、ホコリ等の掻き落としブラシ１６を備えたダストボックス１７を着脱可能に設置することにより、ブラシ１６およびダストボックス１７等を移動させることなくプレフィルタ５を移動させて自動的にプレフィルタ５のゴミやホコリ等を除去し収納することができるようにしている。
【００５５】
このような構成の場合、当該空気調和機Ａの熱交換器４の前面側から上面側にかけて設けられているプレフィルタ支持およびガイド用のフィルタ支持部材７は必然的に空気吸込面の広さを制約しない構造体でなければならないから、どうしても剛性に欠けるものとなり、フィルタ掃除ユニット６の支持などに対して安定した支持機能を果たしにくいので、何らかの手段で剛性アップを図る必要がある。
【００５６】
そこで、本実施の形態では、例えば図１、図２、図４〜図８に示すように、上記フィルタ支持部材７の枠板７１，７１間の前後方向に延びる上端側所定幅部分の下部に同上端側から前面側コーナー部への傾斜開始面付近にかけて、上記ラムダ型熱交換器４の折り曲げ部の断面Ｖ字形の空気通路部（谷間部）４ｃの形状に合う断面（側面）Ｖ字形の熱交部天面シール用のシール面部２０ａを有するシールプレート２０を一体的に設け、上記フィルタ支持部材７の本体ケーシング３側への取り付けと同時に、同シールプレート２０のシール面部２０ａによって上記ラムダ型熱交換器４の折り曲げ部のＶ字形の空気通路部（谷間部）４ｃの確実なシール（空気流通状態の阻止）を行うように構成している。
【００５７】
この場合、フィルタ支持部材７を構成している上記枠板７１，７１の所定幅の側壁部７１ａ，７１ａの下面は、上記シールプレート２０のＶ字形の側面形状に対応した形状のものとなっており、それらが上方側から適切に押圧係合するようになっているが、それとは別に上記シールプレート２０そのもの自体が、図７、図８に示すように、当該枠板７１，７１の側壁部７１ａ，７１ａの下面に対して同下面位置よりも所定寸法下方側に偏位（離間）した状態で枠板７１，７１に一体化されていて、上記フィルタ支持部材７の本体ケーシング３への取り付け時に、それ自体が曲げ変形した時の弾性力（図７中に矢印Ｐで示すような押圧方向の付勢力）によっても上記ラムダ型熱交換器４の折り曲げ部の空気通路部（谷間部）４ｃの全面に対して圧接状態で嵌合されるようになっている。
【００５８】
したがって、よりシール面部２０ａによるシール状態が確実になる。また、ガタツキも生じにくく、安定した状態で設置される。
【００５９】
このシールプレート２０は、種々の方法により実現することができる。例えば合成樹脂により上記フィルタ支持部材７の枠板７１，７１と一体に成形したものでもよいし、それぞれ別体に合成樹脂成形したものをフィルタ支持部材７の枠板７１，７１の上端側（基端側）で重合（または係合）一体化させることにより結合して相互に一体化したものでもよい。
【００６０】
このように、フィルタユニットであるフィルタ支持部材７の上端側（具体的には枠板７１，７１間）にクロスフィン熱交換器４の折り曲げ部の断面Ｖ字形の空気通路部（谷間部）４ｃをシールするための同じく断面Ｖ字形の所定幅のシール面部２０ａを有するシールプレート２０を一体化したシール構造によると、同シールプレート２０がフィルタ支持部材７自体の構造部分となって、部品点数も減少し、本体ケーシング３に対するフィルタ支持部材７の設置と同時にシールプレート２０部分も設置されるので、設置も容易である。したがって組付工数も削減される。その結果、コストも低減される。
【００６１】
しかも、同シールプレート２０のシール面部２０ａは、断面Ｖ字形状で比較的前後方向の幅も広く、フィルタ支持部材７側の枠板７１，７１との重合状態では、その両側の所定の間隔で前後方向に延びる複数本の平行な支持枠部２０ｂ，２０ｂ・・・部分が上記フィルタ支持部材７に支持されたプレフィルタ５の前後方向の枠部材５１ａ，５１ａ・・・部分に対応して同枠部材５１ａ，５１ａ・・・部分を支持ガイドするようになっているとともに、それらの各基端側が左右両方向に延びる所定幅の枠体２０ｃによって相互に連結一体化され、上記フィルタ支持部材７の枠板７１，７１の基端側と一体に結合されていることもあって、フィルタ支持部材７の枠板７１，７１間を連結することになることから、フィルタ支持部材７自体の剛性も確実にアップする。
【００６２】
その結果、プレフィルタ５が全体に亘って撓みはなくフラットに支持され、また移動時にもスムーズにガイドされる。また、フィルタ掃除ユニット６その他の支持も安定したものとなる一方、第１，第２のガイド溝１２ａ，１２ｂの形状も安定するので、プレフィルタ５の巻き取り、巻き戻し（展張）時の移動も一層スムーズになる。
【００６３】
また、上記支持枠部２０ｂ，２０ｂ・・・を相互に連結する形で設けられているシールプレート２０のシール面部２０ａ部分の幅は、上記クロスフィン熱交換器４上部の折り曲げられた前後熱交部４ａ，４ｂのＶ字形の端面部の幅に応じた幅のみで良く、その他の部分は、相互に平行な幅の狭い支持枠部２０ｂ，２０ｂ・・・と基端２０ｃ側の連結部のみであるから、特に空気吸込通路面積を制約することはなく、可及的に広い空気通路面積を確保することができる。
【図面の簡単な説明】
【００６４】
【図１】この出願の発明の最良の実施の形態に係るフィルタ掃除ユニット付空気調和機の全体的な構成を示す断面図である。
【図２】同空気調和機の全面カバー、上面側空気吸込グリル等の外装部を取り外した状態の斜視図である。
【図３】同空気調和機のプレフィルタおよびプレフィルタ巻込み巻戻し機構相互の関係を示す要部の拡大斜視図である。
【図４】同空気調和機のプレフィルタおよびプレフィルタ支持部材、フィルタ押え、シールプレート、プレフィルタ巻込み巻戻し機構、ゴミ等掻き落しブラシ、ダストボックス相互の関係と構造を示すプレフィルタ挿入又は取り出し状態の拡大断面図である。
【図５】同空気調和機のプレフィルタおよびプレフィルタ支持部材、フィルタ押え、シールプレート、プレフィルタ巻込み巻戻し機構、ゴミ等掻き落しブラシ、ダストボックス相互の関係と構造を示すプレフィルタ展張状態の拡大断面図である。
【図６】同空気調和機のプレフィルタおよびプレフィルタ支持部材、フィルタ押え、シールプレート、プレフィルタ巻込み巻戻し機構、ゴミ等掻き落しブラシ、ダストボックス相互の関係と構造を示すプレフィルタ巻込み状態の拡大断面図である。
【図７】同空気調和機におけるプレフィルタ支持部材と熱交換器、シールプレートとの関係を示す側方から見た要部の拡大断面図である。
【図８】同空気調和機のプレフィルタ支持部材およびプレフィルタ、プレフィルタ押えの相互の関係を示す要部の拡大断面図である。
【符号の説明】
【００６５】
Ａは空気調和機、１は空気吸込口、２は空気吹出口、３は本体ケーシング、３ａは筺体、３ｂは空気吸込グリル、３ｃは前面カバー、４は熱交換器、４ａは前面側熱交部、４ｂは背面側熱交部、４ｃは熱交換器折り曲げ部のＶ字形の空気通路部（谷間部）、５はプレフィルタ、６はフィルタ掃除ユニット、７はフィルタ支持部材、１６はゴミ等掻落しブラシ、１７はダストボックス、２０はシールプレート、２０ａはシールプレートのシール部、７０は多翼ファン、７１はフィルタ支持部材７の左右両側の枠板、７１ａは枠板７１の側壁部、７１ｂは枠板７１の前面壁部、７２ａは第１の歯付プーリ、７２ｂは第２の歯付プーリ、７２ｃは歯付ベルトである。
【図１】
2008089232.tif 000003
【図２】
2008089232.tif 000004
【図３】
2008089232.tif 000005
【図４】
2008089232.tif 000006
【図５】
2008089232.tif 000007
【図６】
2008089232.tif 000008
【図７】
2008089232.tif 000009
【図８】
2008089232.tif 000010